(57)【要約】      （修正有）【課題】安定感を向上させる仮設手すりを提供する。【解決手段】仮設手すり１０は、長辺方向の中央部に通路が設定された、第１ベースプレート１１と、第１ベースプレート１１から離れて配置され、長辺方向の中央部に通路が設定された、第２ベースプレート１２と、第１ベースプレート１１の長辺方向の中央部に対して片側に寄せて取り付けられた第１支柱部材１３と、第２ベースプレート１２の長辺方向の中央部に対して片側に寄せて取り付けられた第２支柱部材１４と、第１支柱部材１３の上部と第２支柱部材１４の上部とを繋ぐように架け渡された手すり部材１５とを備えている。第２ベースプレート１２の短辺方向の幅Ｙ１は、第１ベースプレート１１の短辺方向の幅Ｘ１よりも短く、かつ、第２ベースプレート１２の長辺方向の幅Ｙ２は、第１ベースプレート１１の長辺方向の幅Ｘ２よりも長い。【選択図】図１
2020200717.tif 000002
【特許請求の範囲】
【請求項１】
長辺方向の中央部に通路が設定された、略矩形の第１ベースプレートと、
前記第１ベースプレートから離れて配置され、長辺方向の中央部に通路が設定された、略矩形の第２ベースプレートと、
前記第１ベースプレートの長辺方向の中央部に対して片側に寄せて、前記第１ベースプレートに取り付けられた第１支柱部材と、
前記第２ベースプレートの長辺方向の中央部に対して片側に寄せて、前記第２ベースプレートに取り付けられた第２支柱部材と、
前記第１支柱部材の上部と前記第２支柱部材の上部とを繋ぐように架け渡された手すり部材と
を備え、
前記第２ベースプレートの短辺方向の幅は、前記第１ベースプレートの短辺方向の幅よりも短く、かつ、前記第２ベースプレートの長辺方向の幅は、前記第１ベースプレートの長辺方向の幅よりも長い、仮設手すり。
【請求項２】
前記第１支柱部材の上部に取り付けられた前記手すり部材の第１端部は、前記第１支柱部材に対してヒンジを介して取り付けられている、請求項１に記載された仮設手すり。
【請求項３】
前記第２支柱部材の上部に取り付けられた前記手すり部材の第２端部は、前記第２支柱部材に対してヒンジを介して取り付けられている、請求項１または２に記載された仮設手すり。
【請求項４】
前記手すり部材は、長さ調整可能な機構を有する、請求項１から３までの何れか一項に記載された仮設手すり。
【請求項５】
前記第１ベースプレートの短辺方向の長さをＬ１とし、前記第２ベースプレートの短辺方向の長さをＬ２としたときに、１．４≧（Ｌ１／Ｌ２）≧１．９である、請求項１から４までの何れか一項に記載された仮設手すり。
【請求項６】
２９０ｍｍ≧Ｌ２≧３１０ｍｍである、請求項５に記載された仮設手すり。
【請求項７】
前記第１ベースプレートの長辺方向の長さをＬ３とし、前記第２ベースプレートの長辺方向の長さをＬ４としたときに、０．７≧（Ｌ３／Ｌ４）≧０．９である、請求項１から６までの何れか一項に記載された仮設手すり。
【請求項８】
１０００ｍｍ≧Ｌ４≧１１００ｍｍである、請求項６に記載された仮設手すり。
【請求項９】
前記第１ベースプレートの長辺方向において、前記第１支柱部材が取り付けられた位置から外縁までの長さをＬ５とし、
前記第２ベースプレートの長辺方向において、前記第２支柱部材が取り付けられた位置から外縁までの長さをＬ６としたときに、
Ｌ６＞Ｌ５である、請求項１から８までの何れか一項に記載された仮設手すり。
【請求項１０】
前記第１ベースプレートの長辺方向において、前記第１支柱部材が取り付けられた位置から外縁までの長さをＬ５とし、
前記第２ベースプレートの長辺方向において、前記第２支柱部材が取り付けられた位置から外縁までの長さをＬ６としたときに、
２．５≧（Ｌ６／Ｌ５）≧１．１である、請求項１から９までの何れか一項に記載された仮設手すり。
【請求項１１】
前記第２ベースプレートの長辺方向の長さをＬ４とし、前記第２ベースプレートの長辺方向において、前記第２支柱部材が取り付けられた位置から外縁までの長さをＬ６としたときに、０．２５≧（Ｌ６／Ｌ４）≧０．１５である、請求項１から１０までの何れか一項に記載された仮設手すり。
【請求項１２】
前記第１ベースプレートの長辺方向の長さをＬ３とし、前記第１ベースプレートの長辺方向において、前記第１支柱部材が取り付けられた位置から外縁までの長さをＬ５とし、前記第２ベースプレートの長辺方向の長さをＬ４とし、前記第２ベースプレートの長辺方向において、前記第２支柱部材が取り付けられた位置から外縁までの長さをＬ６としたときに、１．２５≦（Ｌ６／Ｌ４）／（Ｌ５／Ｌ３）≦１．８である、請求項１から１１までの何れか一項に記載された仮設手すり。
【請求項１３】
前記第２ベースプレートの短辺方向の長さをＬ２とし、前記第２ベースプレートの長辺方向において、前記第２支柱部材が取り付けられた位置から外縁までの長さをＬ６としたときに、０．９≧（Ｌ６／Ｌ２）≧０．６である、請求項１から１２までの何れか一項に記載された仮設手すり。
【請求項１４】
前記第１ベースプレートの短辺方向の長さをＬ１とし、前記第１ベースプレートの長辺方向において、前記第１支柱部材が取り付けられた位置から外縁までの長さをＬ５とし、前記第２ベースプレートの短辺方向の長さをＬ２とし、前記第２ベースプレートの長辺方向において、前記第２支柱部材が取り付けられた位置から外縁までの長さをＬ６としたときに、２．９０≦（Ｌ６／Ｌ２）／（Ｌ５／Ｌ１）≦３．５７である、請求項１から１３までの何れか一項に記載された仮設手すり。
【請求項１５】
２５０ｍｍ≧Ｌ６≧１５０ｍｍである、請求項９から１４までの何れか一項に記載された仮設手すり。
【発明の詳細な説明】
【技術分野】
【０００１】
本発明は、仮設手すりに関する。
【背景技術】
【０００２】
例えば、特開２０１６−１１８０１６号公報には、屋外に仮設される仮設手すりが提案されている。ここで提案される仮設手すりは、ベースプレートに設置された支柱に手すりがヒンジを介して角度を変えて設けられている。そして、ここで提案される仮設手すりは、置くだけで屋外の玄関アプローチの階段部分などに設置される。
【先行技術文献】
【特許文献】
【０００３】
【特許文献１】特開２０１６−１１８０１６号公報
【発明の概要】
【発明が解決しようとする課題】
【０００４】
ところで、特開２０１６−１１８０１６号公報に開示された仮設手すりのベースプレートを階段の途中の踏面に置く場合、階段の踏面に合せてベースプレートの奥行きや、幅が規定される。このため、ベースプレートは、階段の踏面に合せて短辺方向に短くなる。ベースプレートの単位面積当たりの重さが同じであれば、階段の踏面に置かれるベースプレートは、短辺方向に短くなった分軽くなる。ベースプレートには、長さ方向において片側に偏った位置に支柱が設けられ、手すりが取り付けられる。ベースプレートの長さ方向の中央部は、通路として利用される。使用者が、ベースプレートを踏む前に手すりに体重を掛ける場合も考えられる。このため、使用者が掛ける荷重に対してベースプレートが軽いと、ベースプレートが不安定に感じられる。他方で、ベースプレートは、厚くし、重くすることもできるが、厚くすると、階段を歩きにくくなる。
【課題を解決するための手段】
【０００５】
ここで提案される仮設手すりは、長辺方向の中央部に通路が設定された、略矩形の第１ベースプレートと、第１ベースプレートから離れて配置され、長辺方向の中央部に通路が設定された、略矩形の第２ベースプレートと、第１ベースプレートの長辺方向の中央部に対して片側に寄せて、第１ベースプレートに取り付けられた第１支柱部材と、第２ベースプレートの長辺方向の中央部に対して片側に寄せて、第２ベースプレートに取り付けられた第２支柱部材と、第１支柱部材の上部と前記第２支柱部材の上部とを繋ぐように架け渡された手すり部材とを備えている。第２ベースプレートの短辺方向の幅は、第１ベースプレートの短辺方向の幅よりも短く、かつ、第２ベースプレートの長辺方向の幅は、第１ベースプレートの長辺方向の幅よりも長い。
【０００６】
かかる仮設手すりでは、第２ベースプレートは、長辺方向に対して長く、長辺方向において重い。このため、第２ベースプレートの安定感が増し、仮設手すり全体として安定感が得られる。さらに第２ベースプレートが短辺方向に短いので、設置場所の自由度が高くなり、仮設手すりの汎用性が高くなる。
【０００７】
第１支柱部材の上部に取り付けられた手すり部材の第１端部は、第１支柱部材に対してヒンジを介して取り付けられていてもよい。第２支柱部材の上部に取り付けられた手すり部材の第２端部は、第２支柱部材に対してヒンジを介して取り付けられていてもよい。このように手すり部材が、ヒンジを介して取り付けられていることによって、第１支柱部材や第２支柱部材に対する手すり部材の角度が調整できる。このため、仮設手すりが配置される場所に応じて汎用性が高くなる。第２支柱部材の上部に取り付けられた手すり部材の第２端部は、第２支柱部材に対してヒンジを介して取り付けられていてもよい。また、手すり部材は、長さ調整可能な機構を有していてもよい。かかる仮設手すりによれば、第１ベースプレートと第２ベースプレートが設置される位置に応じて、手すり部材の長さが調整される。このため、仮設手すりが配置される場所に応じて手すり部材の角度や長さが調整可能であり、汎用性が高く、設置がしやすく、また安定感が高い。
【０００８】
仮設手すりは、第１ベースプレートの短辺方向の長さをＬ１とし、第２ベースプレートの短辺方向の長さをＬ２としたときに、１．４≧（Ｌ１／Ｌ２）≧１．９であってもよい。この場合、第２ベースプレートは、第１ベースプレートに比べて短辺方向にコンパクトになる。このため、第２ベースプレートが置かれる場所の自由度が高くなり、仮設手すりの汎用性が向上する。長さＬ２は、例えば、２９０ｍｍ≧Ｌ２≧３１０ｍｍであってもよい。仮設手すりの第２ベースプレートは、一般的な玄関アプローチなどの階段の踏面に設置しやすくなり、仮設手すりの汎用性が向上する。
【０００９】
仮設手すりは、第１ベースプレートの長辺方向の長さをＬ３とし、第２ベースプレートの長辺方向の長さをＬ４としたときに、０．７≧（Ｌ３／Ｌ４）≧０．９であってもよい。第２ベースプレートは、第１ベースプレート１１に比べて長辺方向に長くなり、短辺方向の単位長さあたりの重さが重くなる。第２ベースプレートは、長辺方向において安定感が増す。長さＬ４は、例えば、１０００ｍｍ≧Ｌ４≧１１００ｍｍであってもよい。この場合、仮設手すりの第２ベースプレートは、一般的な玄関アプローチなどの階段の踏面に設置しやすくなり、仮設手すりの汎用性が向上する。
【００１０】
仮設手すりは、第１ベースプレートの長辺方向において、第１支柱部材が取り付けられた位置から外縁までの長さをＬ５とし、第２ベースプレートの長辺方向において、第２支柱部材が取り付けられた位置から外縁までの長さをＬ６としたときに、Ｌ６＞Ｌ５であってもよい。（Ｌ６／Ｌ５）は、例えば、２．５≧（Ｌ６／Ｌ５）≧１．１であってもよい。この場合、第２ベースプレートは、第２支柱部材が外側に押されても、第２支柱部材が取り付けられた側とは反対側の縁が浮き上がりにくい。
【００１１】
仮設手すりは、第２ベースプレートの長辺方向の長さをＬ４とし、第２ベースプレートの長辺方向において、第２支柱部材が取り付けられた位置から外縁までの長さをＬ６としたときに、０．２５≧（Ｌ６／Ｌ４）≧０．１５であってもよい。
【００１２】
仮設手すりは、第１ベースプレートの長辺方向の長さをＬ３とし、第１ベースプレートの長辺方向において、第１支柱部材が取り付けられた位置から外縁までの長さをＬ５とし、第２ベースプレートの長辺方向の長さをＬ４とし、第２ベースプレートの長辺方向において、第２支柱部材が取り付けられた位置から外縁までの長さをＬ６としたときに、１．２５≦（Ｌ６／Ｌ４）／（Ｌ５／Ｌ３）≦１．８であってもよい。第２ベースプレートは、第１ベースプレートに比べて第２支柱部材を外側に倒そうとする力に対して抗力が得られやすく、仮設手すりの安定感が得られやすい。
【００１３】
仮設手すりは、第２ベースプレートの短辺方向の長さをＬ２とし、第２ベースプレートの長辺方向において、第２支柱部材が取り付けられた位置から外縁までの長さをＬ６としたときに、０．９≧（Ｌ６／Ｌ２）≧０．６であってもよい。
【００１４】
仮設手すりは、第１ベースプレートの短辺方向の長さをＬ１とし、第１ベースプレートの長辺方向において、第１支柱部材が取り付けられた位置から外縁までの長さをＬ５とし、第２ベースプレートの短辺方向の長さをＬ２とし、第２ベースプレートの長辺方向において、第２支柱部材が取り付けられた位置から外縁までの長さをＬ６としたときに、２．９０≦（Ｌ６／Ｌ２）／（Ｌ５／Ｌ１）≦３．５７であってもよい。この場合、第２ベースプレートは、短辺方向においてコンパクトであるが、第２支柱部材を外側に倒そうとする力に対しては抗力が得られやすい。他方で、第２ベースプレートに所要の安定感が得られやすく、かつ、仮設手すりの汎用性が高くなる。
【００１５】
仮設手すりの上述した長さＬ６は、例えば、２５０ｍｍ≧Ｌ６≧１５０ｍｍであってもよい。これにより、第２ベースプレートに所要の安定感が得られやすくなり、かつ、仮設手すりの汎用性が高くなる。
【図面の簡単な説明】
【００１６】
【図１】図１は、仮設手すり１０が階段に設置された状態を示す斜視図である。
【図２】図２は、仮設手すり１０の平面図である。
【図３】図３は、第２ベースプレート１２を短辺方向Ｙ１から見た側面図である。
【図４】図４は、仮設手すり１０が階段に設置された状態を示す斜視図である。
【発明を実施するための形態】
【００１７】
以下、本発明の一実施形態に係る仮設手すりを図面に基づいて説明する。なお、ここで説明する実施形態および実施例は、本願発明の好適な一形態を例示するものであるが、特段の言及がない限りにおいて、本願発明を限定しない。また、同じ作用を奏する部材・部位には同じ符号を付し、重複する説明は適宜に省略または簡略化する。
【００１８】
ここでは、本発明の一実施形態に係る仮設手すり１０を説明する。図１は、仮設手すり１０が階段８０に設置された状態を示す斜視図である。図２は、仮設手すり１０の平面図である。
【００１９】
仮設手すり１０は、図１および図２に示されているように、第１ベースプレート１１と、第２ベースプレート１２と、第１支柱部材１３と、第２支柱部材１４と、第３支柱部材１６と、第１手すり部材１５と、第２手すり部材１７とを備えている。
【００２０】
第１ベースプレート１１は、略矩形のプレート部材である。長辺方向の中央部に通路１１ａが設定されている。第２ベースプレート１２は、略矩形のプレート部材である。第２ベースプレート１２は、第１ベースプレート１１から離れて配置され、長辺方向の中央部に通路１２ａが設定されている。この実施形態では、第１ベースプレート１１と第２ベースプレート１２は、共に角が丸い略矩形のプレートで構成されている。
【００２１】
第１支柱部材１３は、第１ベースプレート１１の長辺方向Ｘ２の中央部に対して片側に寄せて、第１ベースプレート１１に取り付けられている。第２支柱部材１４は、第２ベースプレート１２の長辺方向Ｙ２の中央部に対して片側に寄せて、第２ベースプレート１２に取り付けられている。第２ベースプレート１２の短辺方向Ｙ１の幅は、第１ベースプレート１１の短辺方向Ｘ１の幅よりも短く、かつ、第２ベースプレート１２の長辺方向Ｙ２の幅は、第１ベースプレート１１の長辺方向Ｘ２の幅よりも長い。図１に示された形態では、第１支柱部材１３と第２支柱部材１４は、高さ調整可能な支柱で構成されている。第１支柱部材１３と第２支柱部材１４は、かかる形態に限定されない。例えば、ベースプレートの離れた位置に配置された２本の支柱部と、２本の支柱部に架け渡された横架部とを有する部材でもよい。このように第１支柱部材１３と第２支柱部材１４は、手すり部材１５を支持する支柱としての役割を果たす部材であるとよい。
【００２２】
この実施形態では、第１ベースプレート１１と第２ベースプレート１２は、概ね厚さが同じであり、単位面積当たりの重さは概ね同じである。第２ベースプレート１２は、第１ベースプレート１１に比べて短辺方向Ｘ１，Ｙ１に短いが、長辺方向Ｘ２，Ｙ２には長い。通路用のスペースにおいて、通路の進行方向となる短辺方向Ｙ１における単位長さあたりの重さは、第１ベースプレート１１よりも第２ベースプレート１２の方が重い。つまり、第２ベースプレート１２は、第１ベースプレート１１に比べて短辺方向に短いが、第１ベースプレート１１と第２ベースプレート１２との短辺方向の長さの違いに比べて、重さの差が小さい。換言すると、第２ベースプレート１２は、長辺方向Ｘ２に対して長く、長辺方向Ｘ２において重い。このため、第２ベースプレート１２の安定感が増し、仮設手すり１０全体として安定感が得られる。また、第２ベースプレート１２が短辺方向に短いので、仮設手すり１０の汎用性が高くなる。
【００２３】
第１ベースプレート１１は、第１支柱部材１３が長辺方向の中央部に対して片側に寄せて取り付けられている。第２ベースプレート１２についても同様であり、第２支柱部材１４が長辺方向の中央部に対して片側に寄せて取り付けられている。そして、第１ベースプレート１１と第２ベースプレート１２の長辺方向の中央部には、長辺方向Ｘ２，Ｙ２において同程度の幅の通路用のスペースが確保されている。図１に示されているように、第２ベースプレート１２は、例えば、階段８０の踏面８２に合せて短辺方向の幅が規定されていてもよい。このように、第２ベースプレート１２の短辺方向の幅が階段８０の踏面８２に合せて規定されていることによって、第２ベースプレート１２を細長いスペースに設置できる。これにより、仮設手すり１０を設置できる場所が広がり、仮設手すり１０の汎用性が向上する。
【００２４】
第１支柱部材１３の上部に取り付けられた第１手すり部材１５の第１端部は、第１支柱部材１３に対してヒンジ１３ａを介して取り付けられている。また、第２支柱部材１４の上部に取り付けられた第１手すり部材１５の第２端部は、第２支柱部材１４に対してヒンジ１４ａを介して取り付けられている。ヒンジ１３ａ、ヒンジ１４ａは、それぞれ角度調整可能な構造を備えていてもよい。このようなヒンジ１３ａ，１４ａの具体的な構成例は、特許文献１にも開示されているので、ここでは詳しい説明を省略する。
【００２５】
なお、図１に示された例では、ヒンジ１３ａは、第１支柱部材１３の上端部に取り付けられているが、かかる位置に限定されない。ヒンジ１４ａは、第２支柱部材１４の上端部に取り付けられているが、かかる位置に限定されない。ヒンジ１３ａおよびヒンジ１４ａの構造は、それぞれ支柱部材と手すり部材１５とを、角度調整可能に繋ぐ構造であるとよい。このような観点で、ヒンジ１３ａ，１４ａは、特許文献１にも開示されている構造に限らず、種々の構造を採用しうる。
【００２６】
図１に示されているように、仮設手すり１０が階段８０のような段差がある場所に置かれる場合には、段差に合せて第１支柱部材１３と第１手すり部材１５との角度と、第１手すり部材１５と第２支柱部材１４との角度とがそれぞれ調整される。このように、第１支柱部材１３と第１手すり部材１５、および、第２支柱部材１４と第１手すり部材１５は、それぞれ角度調整可能に接続されているとよい。
【００２７】
また、第１手すり部材１５は、長さ調整可能な機構を有していてもよい。第１手すり部材１５の長さ調整可能な機構には、種々の伸縮機構が採用されうる。この場合、第１ベースプレート１１と第２ベースプレート１２が設置される位置に応じて、第１手すり部材１５の長さが調整される。このように、仮設手すり１０が配置される場所に応じて手すり部材１５の角度や長さが調整可能であってもよい。この場合、仮設手すり１０は、汎用性が高くなり、設置がしやすく、安定感が高くなる。なお、第１手すり部材１５には、長さ調整可能な機構を有する部材に限定されない。例えば、第１手すり部材１５には、所要の長さの手すり部材が選択されて用いられてもよい。また、第１手すり部材１５は所要の長さに調整されて取り付けられてもよい。
【００２８】
この実施形態では、仮設手すり１０は、第３支柱部材１６と、第２手すり部材１７とを備えている。第３支柱部材１６は、第１ベースプレート１１に取り付けられている。第３支柱部材１６は、第１支柱部材１３と同様に第１ベースプレート１１の片側に寄せて第１支柱部材１３から短辺方向Ｘ１に離れた位置に取り付けられている。第２手すり部材１７は、第１支柱部材１３の上部と第３支柱部材１６の上部とを繋ぐように取り付けられている。
【００２９】
また、第１ベースプレート１１と第２ベースプレート１２は、仮設手すり１０としての安定感を得るべく所要の重さを有しているとよい。例えば、第１ベースプレート１１と第２ベースプレート１２は、裏面に金属のプレートが重ねられていてもよい。また、第１ベースプレート１１と第２ベースプレート１２は、金属のプレートが内装されていてもよい。金属のプレートは、踏み板としての所要の重さおよび強度を備えているとよい。このように、第１ベースプレート１１と第２ベースプレート１２は、金属のプレートを備えていることによって、単位面積当たりの重さが重くなる。金属のプレートが補強板として機能するので、第１ベースプレート１１と第２ベースプレート１２が歪みにくい。
【００３０】
また、第１ベースプレート１１と第２ベースプレート１２は、例えば、所要の耐候性を有する樹脂で覆われていてもよい。第１ベースプレート１１と第２ベースプレート１２の表面は、滑りにくい素材で覆われていてもよい。滑り止め加工が施されたシートが張られていてもよい。第１ベースプレート１１と第２ベースプレート１２の裏面についても、滑り止めとなるシートや部材が取り付けられていてもよい。
【００３１】
図２は、仮設手すり１０の平面図である。本発明者は、このような仮設手すり１０について、設置の汎用性を向上させた上で、高い安定感を確保したいと考えている。
【００３２】
ここでは、説明の便宜上、図２に示されているように、第１ベースプレート１１の短辺方向Ｘ１の長さをＬ１とし、第２ベースプレート１２の短辺方向Ｙ１の長さをＬ２とする。また、第１ベースプレート１１の長辺方向Ｘ２の長さをＬ３とし、第２ベースプレート１２の長辺方向Ｙ２の長さをＬ４とする。第１ベースプレート１１の長辺方向Ｘ２において、第１支柱部材１３が第１ベースプレート１１に取り付けられた位置Ｐ１３から外縁までの長さをＬ５とする。第２ベースプレート１２の長辺方向Ｙ２において、第２支柱部材１４が第２ベースプレート１２に取り付けられた位置Ｐ１４から外縁までの長さをＬ６とする。
【００３３】
ここで、第１ベースプレート１１の短辺方向の長さＬ１は、図２に示されているように、角部が丸くなった部分は、考慮しない。Ｌ１は、略矩形の第１ベースプレート１１の短辺方向Ｘ１の長さによって規定されている。第２ベースプレート１２の短辺方向の長さＬ２についても同様に、角部が丸くなった部分を考慮せず、短辺方向Ｙ１の長さによって規定されている。第１ベースプレート１１の長辺方向の長さＬ３と、第２ベースプレート１２の長辺方向Ｙ２の長さＬ４についても同様である。第１ベースプレート１１の長辺方向の長さＬ３と、第２ベースプレート１２の長辺方向Ｙ２の長さＬ４は、角部が丸くなった部分を考慮せずに、それぞれ規定されている。
【００３４】
第１支柱部材１３が第１ベースプレート１１に取り付けられた位置Ｐ１３は、第１支柱部材１３が第１ベースプレート１１に取り付けられた位置Ｐ１３の中心によって規定される。第１支柱部材１３が第１ベースプレート１１に取り付けられた部位のうち、第１ベースプレート１１の長辺方向Ｘ２に沿った幅方向の中心が、位置Ｐ１３とされる。第１支柱部材１３が第１ベースプレート１１に取り付けられた位置Ｐ１３から外縁までの長さＬ５は、当該位置Ｐ１３から第１ベースプレート１１の長辺方向Ｘ２に沿った第１ベースプレート１１の外縁までの距離で規定される。
【００３５】
第２支柱部材１４が第２ベースプレート１２に取り付けられた位置Ｐ１４は、第２支柱部材１４が第２ベースプレート１２に取り付けられた位置Ｐ１４の中心によって規定される。第２支柱部材１４が第２ベースプレート１２に取り付けられた部位のうち、第２ベースプレート１２の長辺方向Ｙ２に沿った幅方向の中心が、位置Ｐ１４とされる。第２支柱部材１４が第２ベースプレート１２に取り付けられた位置Ｐ１４から外縁までの長さＬ５は、当該位置Ｐ１４から第２ベースプレート１２の長辺方向Ｙ２に沿った第２ベースプレート１２の外縁までの距離で規定される。
【００３６】
この実施形態では、仮設手すり１０は、１．４≧（Ｌ１／Ｌ２）≧１．９である。つまり、第１ベースプレート１１の短辺方向の長さＬ１は、第２ベースプレート１２の短辺方向の長さＬ２の約１．４〜１．９倍であるとよい。換言すると、第２ベースプレート１２の短辺方向の長さＬ２は、第１ベースプレート１１の短辺方向の長さＬ１の約０．５２〜０．７２倍であるとよい。この場合、第２ベースプレート１２は、第１ベースプレート１１に比べて短辺方向にコンパクトになる。このため、第２ベースプレート１２が置かれる場所の自由度が高くなり、仮設手すり１０の汎用性が向上する。
【００３７】
第２ベースプレート１２の短辺方向の長さＬ２は、例えば、２９０ｍｍ≧Ｌ２≧３１０ｍｍとしてもよい。この場合、仮設手すり１０の第２ベースプレート１２は、一般的な玄関アプローチなどの階段８０の踏面８２に設置しやすくなり、仮設手すり１０の汎用性が向上する。なお、第１ベースプレート１１の短辺方向の長さＬ１は、短すぎると第１ベースプレート１１が軽くなり不安定になり、長すぎると設置場所が限定される。このような観点で、第１ベースプレート１１の短辺方向の長さＬ１は、例えば、４４０ｍｍ≧Ｌ２≧５３０ｍｍとしてもよい。
【００３８】
さらに、この実施形態では、仮設手すり１０は、０．７≧（Ｌ３／Ｌ４）≧０．９である。第１ベースプレート１１の長辺方向の長さＬ３は、第２ベースプレート１２の長辺方向の長さＬ４の０．７〜０．９倍であるとよい。換言すると、第２ベースプレート１２の長辺方向の長さＬ４は、第１ベースプレート１１の長辺方向の長さＬ１の約１．１１〜１．４３倍であるとよい。この場合、第２ベースプレート１２は、第１ベースプレート１１に比べて長辺方向に長くなり、短辺方向の単位長さあたりの重さが重くなる。このため、長辺方向において、第１ベースプレート１１と第２ベースプレート１２を同じ長さにする場合に比べて、長辺方向において第２ベースプレート１２が浮きにくい。第２ベースプレート１２は、長辺方向において安定感が増す。
【００３９】
例えば、第２ベースプレート１２の長辺方向の長さＬ４は、１０００ｍｍ≧Ｌ４≧１１００ｍｍとしてもよい。この場合、仮設手すり１０の第２ベースプレート１２は、一般的な玄関アプローチなどの階段８０の踏面８２に設置しやすくなり、仮設手すり１０の汎用性が向上するとともに、第２ベースプレート１２が長い。このため、仮設手すり１０の汎用性および安定感が、全体として高くなる。なお、第１ベースプレート１１の長辺方向の長さＬ３は、短すぎると通路の幅が狭くなり、長すぎると設置場所が限定される。このような観点で、第１ベースプレート１１の短辺方向の長さＬ３は、例えば、８００ｍｍ≧Ｌ３≧９００ｍｍとしてもよい。
【００４０】
第１ベースプレート１１における第１支柱部材１３が取り付けられた位置Ｐ１３から外縁までの長さＬ５と、第２ベースプレート１２における第２支柱部材１４が取り付けられた位置Ｐ１４から外縁までの長さＬ６とは、Ｌ６＞Ｌ５であるとよい。つまり、長さＬ６が長さＬ５よりも長い。換言すると、第２ベースプレート１２では、第２支柱部材１４が取り付けられた位置Ｐ１４から外縁までの長さＬ６が、第１ベースプレート１１の当該長さＬ６よりも長い。このため、第２ベースプレート１２は、第２支柱部材１４が取り付けられた位置Ｐ１４から外縁までの長さＬ６が長いので、第２支柱部材１４が外側に押されても、第２支柱部材１４が取り付けられた側とは反対側の縁が浮き上がりにくい。
【００４１】
例えば、第２ベースプレート１２は、図１に示されているように、階段８０の踏面８２のような細長いスペースに設置できるように、短辺方向の幅が規定されてもよい。ここで、第１ベースプレート１１と第２ベースプレート１２は、単位面積当たりの重さが概ね同じであるとする。この場合、第２ベースプレート１２は細長く、全体としては第１ベースプレート１１よりも軽い。けれども、第２ベースプレート１２における第２支柱部材１４が取り付けられた位置Ｐ１４から外縁までの長さＬ６が、第１ベースプレート１１における第１支柱部材１３が取り付けられた位置Ｐ１３から外縁までの長さＬ５よりも長い。
【００４２】
ここで、図３は、第２ベースプレート１２を短辺方向Ｙ１から見た側面図である。ここで、図３に示されているように、第２ベースプレート１２における第２支柱部材１４が取り付けられた位置Ｐ１４から外縁までの部位１２ｂは、第２ベースプレート１２の長辺方向Ｙ２において、第２支柱部材１４を外側に倒そうとする方向のモーメントに対して、設置された面Ｄ２から反力を受ける。第２ベースプレート１２は、この部位が長いため、かかる設置された面からの反力を受けやすい。このため、第２支柱部材１４を外側に倒そうとする方向に作用するモーメントＭ１に対して所要の抗力が得られやすい。このため、第２ベースプレート１２の長辺方向Ｙ２において、第２支柱部材１４は外側に倒れにくく、安定感が高い。
【００４３】
このように、第２ベースプレート１２は、短辺方向Ｙ１の単位長さあたりの重さが、第１ベースプレート１１よりも重いとよい。また、上述した長さＬ６は、長さＬ５よりも長いとよい。これにより、第２ベースプレート１２の長辺方向Ｙ２において、第２支柱部材１４が外側に倒れにくく、仮設手すり１０の安定感が格段に増す。
【００４４】
また、仮設手すり１０は、例えば、２．５≧（Ｌ６／Ｌ５）≧１．１としてもよい。この場合、Ｌ６／Ｌ５が、１．１〜２．５倍である。第２支柱部材１４を、第２ベースプレート１２の長辺方向Ｙ２の外側に倒そうとする方向に作用するＭ１に対して、第２ベースプレート１２は、所要の抗力が得られやすい。かかる観点において、Ｌ６／Ｌ５は、例えば、１．１倍以上であるとよく、より好ましくは１．２倍以上であるとよく、例えば、１．２５倍以上であるとよい。なお、Ｌ５に対してＬ６が長すぎると、第２ベースプレート１２は、長辺方向Ｙ２において、第２支柱部材１４が取り付けられた位置よりも外側に長くなる。このため、仮設手すり１０の汎用性が悪くなる。かかる観点において、Ｌ６／Ｌ５は、例えば、２．５倍以下であるとよく、より好ましくは２．２５倍以下であるとよく、例えば、２．０倍以下であるとよい。
【００４５】
かかる観点で、長さＬ６は、１５０ｍｍ以上２５０ｍｍ以下であるとよい。これにより、第２ベースプレート１２に所要の安定感が得られやすくなり、かつ、仮設手すり１０の汎用性が高くなる。なお、第１ベースプレート１１では、短辺方向Ｘ１の長さが、第２ベースプレート１２に比べて長く重さも第２ベースプレート１２に比べて重くしやすい。他方で、長辺方向Ｘ２において第１支柱部材１３の外側に長いと、設置する際に邪魔になる。このため、長辺方向Ｘ２において第１支柱部材１３の外側は、不必要に長くする必要はない。このような観点で、第１支柱部材１３が取り付けられた位置Ｐ１３から外縁までの長さＬ５は、例えば、１００ｍｍ≧Ｌ５≧１５０ｍｍとしてもよい。
【００４６】
また、第２ベースプレート１２の長辺方向Ｙ２の長さＬ４に関し、第２ベースプレート１２の長辺方向Ｙ２において、第２支柱部材１４が取り付けられた位置Ｐ１４から外縁までの長さをＬ６としたとき、０．２５≧（Ｌ６／Ｌ４）≧０．１５としてもよい。このように、長さＬ６は、第２ベースプレート１２の長辺方向Ｙ２の長さＬ４の、１５％以上２５％以下として規定されてもよい。これにより、第２ベースプレート１２に所要の安定感が得られやすくなり、かつ、仮設手すり１０の汎用性が高くなる。
【００４７】
また、第１ベースプレート１１の長辺方向Ｘ２の長さＬ３および第１支柱部材１３が取り付けられた位置Ｐ１３から外縁までの長さＬ５を考慮し、第２ベースプレート１２の上述した長さＬ４と長さＬ６を、１．２５≦（Ｌ６／Ｌ４）／（Ｌ５／Ｌ３）≦１．８としてもよい。
【００４８】
ここで、比（Ｌ５／Ｌ３）は、第１ベースプレート１１の長辺方向Ｘ２の長さＬ３に対する第１支柱部材１３が取り付けられた位置Ｐ１３から外縁までの長さＬ５の比である。比（Ｌ６／Ｌ４）は、第２ベースプレート１２の長辺方向Ｙ２の長さＬ４に対する第２支柱部材１４が取り付けられた位置Ｐ１４から外縁までの長さＬ６の比である。１．２５≦（Ｌ６／Ｌ４）／（Ｌ５／Ｌ３）≦１．８とすることにより、第２ベースプレート１２は、第１ベースプレート１１に比べて第２支柱部材１４を外側に倒そうとする力に対して抗力が得られやすく、仮設手すりの安定感が得られやすい。例えば、第１ベースプレート１１に比べて第２ベースプレート１２が軽いような場合でも、第２ベースプレート１２に所要の安定感が得られやすくなり、かつ、仮設手すり１０の汎用性が高くなる。
【００４９】
また、第２ベースプレート１２の短辺方向Ｙ１の長さＬ２との関係において、上述した長さＬ６は、０．９≧（Ｌ６／Ｌ２）≧０．６で規定されていてもよい。この場合、第２ベースプレート１２の短辺方向Ｙ１の長さＬ２との関係において、長さＬ６は、第２ベースプレート１２の短辺方向Ｙ１の長さＬ２の、１５％以上２５％以下として規定されてもよい。この場合、長さＬ６は、第２ベースプレート１２の短辺方向Ｙ１の長さＬ２の、０．６〜０．９倍で規定される。第２支柱部材１４が取り付けられた位置Ｐ１４から外縁までの長さＬ６が、第２ベースプレート１２の短辺方向Ｙ１の長さＬ２に対しても十分に長く、かつ、長すぎない。このため、第２ベースプレート１２に所要の安定感が得られやすくなり、かつ、仮設手すり１０の汎用性が高くなる。
【００５０】
また、第１ベースプレート１１の短辺方向Ｘ１の長さＬ１および第１支柱部材１３が取り付けられた位置Ｐ１３から外縁までの長さＬ５を考慮し、第２ベースプレート１２の上述した長さＬ２と、長さＬ６を、２．９０≦（Ｌ６／Ｌ２）／（Ｌ５／Ｌ１）≦３．５７としてもよい。
【００５１】
ここで、比（Ｌ５／Ｌ１）は、第１ベースプレート１１の短辺方向Ｘ１の長さＬ１に対する第１支柱部材１３が取り付けられた位置Ｐ１３から外縁までの長さＬ５の比である。比（Ｌ６／Ｌ２）は、第２ベースプレート１２の短辺方向Ｙ１の長さＬ２に対する第２支柱部材１４が取り付けられた位置Ｐ１４から外縁までの長さＬ６の比である。２．９０≦（Ｌ６／Ｌ２）／（Ｌ５／Ｌ１）≦３．５７とする。つまり、第１ベースプレート１１を基準に、第２ベースプレート１２の短辺方向Ｙ１の長さＬ２および第２支柱部材１４が取り付けられた位置Ｐ１４から外縁までの長さＬ６が規定される。この場合、第１ベースプレート１１に対して、第２ベースプレート１２が短辺方向Ｙ１に短いとしても、その分、第２支柱部材１４が取り付けられた位置Ｐ１４から外縁までの長さＬ６が長い。このため、第２ベースプレート１２は、短辺方向Ｙ１においてコンパクトであるが、第２支柱部材１４を外側に倒そうとする力に対しては抗力が得られやすい。他方で、（Ｌ６／Ｌ２）／（Ｌ５／Ｌ１）≦３．５７とされ、第１ベースプレート１１を基準に、第２ベースプレート１２の短辺方向Ｙ１の長さＬ２に対して、第２支柱部材１４が取り付けられた位置Ｐ１４から外縁までの長さＬ６の上限が規定される。このため、第２ベースプレート１２に所要の安定感が得られやすく、かつ、仮設手すり１０の汎用性が高くなる。
【００５２】
この実施形態では、階段８０の上のフロア８１あるいは踊り場に第１ベースプレート１１が設置されており、階段８０の踏面８２に第２ベースプレート１２が取り付けられている。図示は省略するが、階段８０が長い場合には、途中の踏面８２のうちいくつかの踏面８２に第２ベースプレート１２がそれぞれ取り付けられていてもよい。そして、踏面８２に設置された第２ベースプレート１２に取り付けられた第２支柱部材１４間に手すり部材１５が取り付けられていてもよい。手すり部材１５と第２支柱部材１４とはそれぞれヒンジ１４ａを介して角度調整可能に取り付けられていてもよい。また、階段８０の下のフロア８１あるいは踊り場に第１ベースプレート１１が設置されており、手すり部材１５によって第２ベースプレート１２の第２支柱部材１４に接続されているとよい。
【００５３】
仮設手すり１０は、図１に示されているように、第１ベースプレート１１と第２ベースプレート１２の長辺方向の片側に、第１支柱部材１３と第２支柱部材１４と手すり部材１５が取り付けられていてもよい。第１ベースプレート１１と第２ベースプレート１２に第１支柱部材１３と第２支柱部材１４と手すり部材１５が取り付けられる位置は、長辺方向の反対側でもよい。また、仮設手すり１０は、図４に示されているように、第１ベースプレート１１と第２ベースプレート１２の長辺方向の両側に、第１支柱部材１３と第２支柱部材１４と手すり部材１５がそれぞれ取り付けられていてもよい。この場合、第１ベースプレート１１と第２ベースプレート１２の長辺方向の中央部に、所定の幅の通路が確保されているとよい。また、長辺方向の両側に取り付けられる第１支柱部材１３と第２支柱部材１４について、第１ベースプレート１１と第２ベースプレート１２との関係において、上述した長さＬ１〜Ｌ６の特徴構成などが、それぞれ適宜に採用されていてもよい。これにより、仮設手すり１０の左右それぞれにおいて、第２ベースプレート１２に所要の安定感が得られる。
【００５４】
以上の通りに、ここで提案される仮設手すりの一実施形態を種々説明したが、ここで提案される仮設手すりは、上述した実施形態に限定されない。また、ここで提案される仮設手すりは、種々変更でき、特段の問題が生じない限りにおいて、各構成要素やここで言及された各処理は適宜に省略され、または、適宜に組み合わされうる。
【産業上の利用可能性】
【００５５】
本発明は、仮設手すりとして産業上利用可能である。
【符号の説明】
【００５６】
１０  仮設手すり
１１  第１ベースプレート
１１ａ  第１ベースプレート１１の通路
１２  第２ベースプレート
１２ａ  第２ベースプレート１２の通路
１２ｂ  第２支柱部材１４が取り付けられた位置Ｐ１４から外縁までの部位
１３  第１支柱部材
１３ａ  ヒンジ
１４  第２支柱部材
１４ａ  ヒンジ
１５  第１手すり部材（手すり部材）
１６  第３支柱部材
１７  第２手すり部材
８０  階段
８２  踏面
Ｌ１  第１ベースプレート１１の短辺方向Ｘ１の長さ
Ｌ２  第２ベースプレート１２の短辺方向Ｙ１の長さ
Ｌ３  第１ベースプレート１１の長辺方向Ｘ２の長さ
Ｌ４  第２ベースプレート１２の長辺方向Ｙ２の長さ
Ｌ５  位置Ｐ１３から外縁までの長さ
Ｌ６  位置Ｐ１４から外縁までの長さ
Ｐ１３  第１支柱部材１３が第１ベースプレート１１に取り付けられた位置
Ｐ１４  第２支柱部材１４が第２ベースプレート１２に取り付けられた位置
【図１】
2020200717.tif 000003
【図２】
2020200717.tif 000004
【図３】
2020200717.tif 000005
【図４】
2020200717.tif 000006
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
長辺方向の中央部に通路が設定された、略矩形の第１ベースプレートと、
前記第１ベースプレートから離れて配置され、長辺方向の中央部に通路が設定された、略矩形の第２ベースプレートと、
前記第１ベースプレートの長辺方向の中央部に対して片側に寄せて、前記第１ベースプレートに取り付けられた第１支柱部材と、
前記第２ベースプレートの長辺方向の中央部に対して片側に寄せて、前記第２ベースプレートに取り付けられた第２支柱部材と、
前記第１支柱部材の上部と前記第２支柱部材の上部とを繋ぐように架け渡された手すり部材と
を備え、
前記第２ベースプレートの短辺方向の幅は、前記第１ベースプレートの短辺方向の幅よりも短く、かつ、前記第２ベースプレートの長辺方向の幅は、前記第１ベースプレートの長辺方向の幅よりも長い、仮設手すり。
【請求項２】
前記第１支柱部材の上部に取り付けられた前記手すり部材の第１端部は、前記第１支柱部材に対してヒンジを介して取り付けられている、請求項１に記載された仮設手すり。
【請求項３】
前記第２支柱部材の上部に取り付けられた前記手すり部材の第２端部は、前記第２支柱部材に対してヒンジを介して取り付けられている、請求項１または２に記載された仮設手すり。
【請求項４】
前記手すり部材は、長さ調整可能な機構を有する、請求項１から３までの何れか一項に記載された仮設手すり。
【請求項５】
前記第１ベースプレートの短辺方向の長さをＬ１とし、前記第２ベースプレートの短辺方向の長さをＬ２としたときに、１．４≧（Ｌ１／Ｌ２）≧１．９である、請求項１から４までの何れか一項に記載された仮設手すり。
【請求項６】
２９０ｍｍ≧Ｌ２≧３１０ｍｍである、請求項５に記載された仮設手すり。
【請求項７】
前記第１ベースプレートの長辺方向の長さをＬ３とし、前記第２ベースプレートの長辺方向の長さをＬ４としたときに、０．７≧（Ｌ３／Ｌ４）≧０．９である、請求項１から６までの何れか一項に記載された仮設手すり。
【請求項８】
１０００ｍｍ≧Ｌ４≧１１００ｍｍである、請求項６に記載された仮設手すり。
【請求項９】
前記第１ベースプレートの長辺方向に沿った、前記第１支柱部材が取り付けられた位置から前記第１ベースプレートの外縁までの最短の長さをＬ５とし、
前記第２ベースプレートの長辺方向に沿った、前記第２支柱部材が取り付けられた位置から前記第２ベースプレートの外縁までの最短の長さをＬ６としたときに、
Ｌ６＞Ｌ５である、請求項１から８までの何れか一項に記載された仮設手すり。
【請求項１０】
前記第１ベースプレートの長辺方向に沿った、前記第１支柱部材が取り付けられた位置から前記第１ベースプレートの外縁までの最短の長さをＬ５とし、
前記第２ベースプレートの長辺方向に沿った、前記第２支柱部材が取り付けられた位置から前記第２ベースプレートの外縁までの最短の長さをＬ６としたときに、
２．５≧（Ｌ６／Ｌ５）≧１．１である、請求項１から９までの何れか一項に記載された仮設手すり。
【請求項１１】
前記第２ベースプレートの長辺方向の長さをＬ４とし、
前記第２ベースプレートの長辺方向に沿った、前記第２支柱部材が取り付けられた位置から前記第２ベースプレートの外縁までの最短の長さをＬ６としたときに、
０．２５≧（Ｌ６／Ｌ４）≧０．１５である、請求項１から１０までの何れか一項に記載された仮設手すり。
【請求項１２】
前記第１ベースプレートの長辺方向の長さをＬ３とし、
前記第１ベースプレートの長辺方向に沿った、前記第１支柱部材が取り付けられた位置から前記第１ベースプレートの外縁までの最短の長さをＬ５とし、
前記第２ベースプレートの長辺方向の長さをＬ４とし、
前記第２ベースプレートの長辺方向に沿った、前記第２支柱部材が取り付けられた位置から前記第２ベースプレートの外縁までの最短の長さをＬ６としたときに、
１．２５≦（Ｌ６／Ｌ４）／（Ｌ５／Ｌ３）≦１．８である、請求項１から１１までの何れか一項に記載された仮設手すり。
【請求項１３】
前記第２ベースプレートの短辺方向の長さをＬ２とし、
前記第２ベースプレートの長辺方向に沿った、前記第２支柱部材が取り付けられた位置から前記第２ベースプレートの外縁までの最短の長さをＬ６としたときに、
０．９≧（Ｌ６／Ｌ２）≧０．６である、請求項１から１２までの何れか一項に記載された仮設手すり。
【請求項１４】
前記第１ベースプレートの短辺方向の長さをＬ１とし、
前記第１ベースプレートの長辺方向に沿った、前記第１支柱部材が取り付けられた位置から前記第１ベースプレートの外縁までの最短の長さをＬ５とし、
前記第２ベースプレートの短辺方向の長さをＬ２とし、
前記第２ベースプレートの長辺方向に沿った、前記第２支柱部材が取り付けられた位置から前記第２ベースプレートの外縁までの最短の長さをＬ６としたときに、
２．９０≦（Ｌ６／Ｌ２）／（Ｌ５／Ｌ１）≦３．５７である、請求項１から１３までの何れか一項に記載された仮設手すり。
【請求項１５】
２５０ｍｍ≧Ｌ６≧１５０ｍｍである、請求項９から１４までの何れか一項に記載された仮設手すり。